(57)【特許請求の範囲】
【請求項１】
建造物のコンクリート床スラブ上に複数の支柱を一定の配置にて立設し、該支柱の先端に球体保持部を有し、該複数の球体保持部において回転自在に保持された球体を介してフロアパネルに積層された鋼板を支持する免震フリーアクセスフロアであって、
前記コンクリート床スラブ上に配置された複数の支柱には、防振材を介して形成された支柱が含まれ、
地震時にフロアパネルが球体上をスライドするとき、防振材を介して形成された支柱のスライド抵抗が大きく、防振材を介して形成された支柱が首振り状態になり、フロアパネルに積層された薄鋼板より離脱して、フロアパネルの全重量が防振材を介していない他の支柱に付加されるように構成したことを特徴とする免震フリーアクセスフロア。
【請求項２】
フロアパネル下面に積層される鋼板は、互いに隣接するフロアパネルのジョイント補強とフロアパネルの撓み防止の効果を有することを特徴とする請求項１記載の免震フリーアクセスフロア。
【請求項３】
フロアパネルの全重量が防振材を介していない全支柱に付加される場合、地震時には、フロアパネルが全方向にスライドしても、球体が回転するのでスライド抵抗が小さく、十分な免震効果を得ることができるように構成したことを特徴とする請求項１または２記載の免震フリーアクセスフロア。
【発明の詳細な説明】
【技術分野】
【０００１】  本発明は免震フリーアクセスフロアに関し、特にフリーアクセスフロア自体を免震構造として微振動の伝達を遮断し、振動障害を防いで耐震性能を向上させた免震フリーアクセスフロアに関する。【０００２】  基本的には、建造物のコンクリート床スラブ上に複数の支柱を一定の配置にて立設し、該支柱の先端に球体保持部を有し、該複数の球体保持部において回転自在に保持された球体を介してフロアパネル下面に積層された鋼板を支持することを基本構造としている。【０００３】  フロアパネル下面に積層される鋼板は、隣接するフロアパネルのジョイント補強と撓み防止になっている。
【背景技術】
【０００４】  従来、高精度の生産設備やコンピュータ、ＯＡ機器等が設置される事務所等のフリーアクセスフロアには多様の構造が種々提案されて公知になっている。
【先行技術文献】
【特許文献】
【０００５】
【特許文献１】  特開２００８−２５５５８７号公報
【特許文献２】  特開２００６−３４８７４８号公報
【０００６】
【発明の概要】
【発明が解決しようとする課題】
【０００７】  前記せる特開２００８−２５５５８７号公報においては、建物の床スラブ上に複数の支持脚を一定の配置に立て、支持脚の上端のパネル受け部上にフロアパネルを支持し、構築されたフリーアクセスフロアと建物の構造躯体とが水平力の伝達が可能に連結された構造が提案されている。【０００８】  また、前記せる特開２００６−３４８７４８号公報においては、フレームに複数個のボールベアリングを固定することによりフレームを床スラブ上に移動自在に配置した免震床において、フレームを開口部を下方に向けたＣ形鋼によって形成し、該Ｃ形鋼の上板部の内面にボールベアリングを固定するとともに、ボールベアリングの取り付け高さ調節機構を設けることを記載している。【０００９】  これに対し、本発明の免震フリーアクセスフロアは、以下のように構成されている。
【課題を解決するための手段】
【００１０】  建造物のコンクリート床スラブ上に複数の支柱を一定の配置にて立設し、該支柱の先端に球体保持部を有し、該複数の球体保持部において回転自在に保持された球体を介してフロアパネルに積層された薄鋼板を支持することを特徴とし、建造物のコンクリート床スラブ上に配置された複数の支柱のうち、防振材を介して形成された支柱が含まれていることを特徴とし、地震時にフロアパネルが球体上をスライドするとき、防振材を介して形成された支柱のスライド抵抗が大きく、防振材を介して形成された支柱が首振り状態になり、フロアパネルに積層された薄鋼板より離脱して、フロアパネルの全重量が防振材を介していない他の支柱に付加されるように構成したことを特徴とし、且つ、フロアパネルの全重量が防振材を介していない全支柱に付加される場合、地震時には、フロアパネルが水平全方向にスライドしても、球体が回転するのでスライド抵抗が小さく、十分な免震効果を得ることができるように構成した免震フリーアクセスフロアを提供する。【００１１】  フロアパネルに積層された下向凹状鋼板は、フロアパネルの隣接ジョイント補強と撓み防止の効力を有している。【００１２】  また、建造物のコンクリート床スラブ上に複数の支柱を一定の配置にて立設し、該支柱の先端に球体保持部を有し、該複数の球体保持部において回転自在に保持された球体を介してフロアパネルに積層された下向凹状薄鋼板を支持し、球体の移動量が復元可能に構成したことを特徴とし、コンクリート床スラブ上に立設された支柱の基部がベースプレートに溶接されており、先端部は支持プレートを介して球体保持部が固定され、該球体保持部に回転自在に保持された球体は球体保持部内の摩擦材に制動されながら下向凹状薄鋼板を支持し、該下向凹状薄鋼板の端部で球体の移動が休止した後、復元方向へ移動することを特徴とし、支柱には設置時の高さ調節用の長ナットとロックナットが具備されていることを特徴とする免震フリーアクセスフロアを提供する。
【発明の効果】
【００１３】  図２に示すように、防振材４３を介して立設された支柱４０は、防振材４３の材質が合成ゴム等の弾力性材質で構成され、球体４をフロアパネル１の下面に積層された薄鋼板２へ押圧しているので、防振材を使用していない他の支柱３０，５０に比べて、フロアパネル１の水平スライドの抵抗が大きい。【００１４】  その結果、フロアパネル１がスライドする場合、防振材４３を介して形成された支柱４０が図２に示すように首振り状態になり、フロアパネル１に積層された薄鋼板２より離脱して、フロアパネル１の全重量が防振材を介していない他の支柱３０及び支柱５０に付加され、球体３及び球体５が回転するので、スライド抵抗は小さく、フロアパネル１が球体３及び球体５の上を水平全方向にスライド可能になり免震効果を得ることができる。
【図面の簡単な説明】
【００１５】
【図１】本発明に係る免震フリーアクセスフロアの免震構造を概念的に示した部分側面図である。
【図２】本発明に係る免震フリーアクセスフロアの支柱の動作を概念的に示した部分側面図である。
【図３】本発明に係る免震フリーアクセスフロアの第２の実施例を示す斜視図である。
【図４】本発明に係る免震フリーアクセスフロアの第２の実施例における支柱の動作を概念的示した部分側面図である。
【発明を実施するための形態】
【００１６】  本発明は、図１に示すように、基本的に建造物のコンクリート床スラブ６上に複数の支柱３０、４０、５０を一定の配置にて立設し、該支柱の先端に球体保持部３１、４１、５１を有し、該複数の球体保持部３１、４１、５１において回転自在に保持された球体３、４、５を介してフロアパネル１に積層された薄鋼板２を支持する構造が基本である。
【００１７】  フロアパネル１に積層された薄鋼板２が水平スライドする時、図２に示すように、自重による摩擦抵抗の影響を受けて支柱４０が首振り状態となり、球体４はフロアパネル１に積層された鋼板２より離脱する。
【００１８】その結果、フロアパネル１及び薄鋼板２の全重量が防振材を介していない他の支柱３０及び支柱５０に付加される。
【００１９】  球体３及び球体５が回転するので、スライド抵抗は小さく、フロアパネル１が球体３及び球体５の上を水平全方向にスライド可能になり免震効果を得ることができる。
【００２０】  また、他の実施例として図３乃至図４に示すように、建造物のコンクリート床スラブ６上に複数の支柱６０，６０・・・を一定の配置にて立設し、該支柱の先端に球体保持部６１を有し、該複数の球体保持部６１において回転自在に保持された球体７を介してフロアパネル１に積層された下向凹状薄鋼板２００を支持し、球体７の移動が下向凹状薄鋼板２００の端部に達した後、反動で元の位置に復元可能に構成されている。
【００２１】  したがって、球体７の移動範囲は他の球体に比べて広いので、地震の長周期の揺れに対応することができ、フロアパネル１が他の球体の上を水平全方向にスライド可能になるので、短周期の場合の免震効果を得ることができる。
【００２２】  コンクリート床スラブ６上に立設された複数の支柱６０の基部がベースプレート６６の溶接部６７に溶接されており、先端部は支持プレート６２を介して球体保持部６１が固定され、該球体保持部６１に回転自在に保持された球体７は球体保持部６１内の摩擦材６３に制動されながら下向凹状薄鋼板２００を支持し、該下向凹状薄鋼板２００の端部で球体７１の移動が休止した後、復元方向へ移動する。
【００２３】  支柱６０には設置時の高さ調節用の長ナット６４とロックナット６５が具備されているので、フロアパネル１とコンクリート床スラブ６との空間部に合わせて高さ調節が可能に構成されている。
【符号の説明】
【００２４】    １  フロアパネル
２１  固定ボルト
２  鋼板
３  球体
３０  支柱
３１  球体保持部
３２  支持プレート
３３  高さ調整ナット
３４  固定ナット
３５  支柱用ボルト
３６  ベースプレート
３７  溶接部
４  球体
４０  支柱
４１  球体保持部
４２  支持プレート
４３  防振材
４４  固定ナット
４５  支柱用ボルト
４６  ベースプレート
４７  溶接部
５  球体
５０  支柱
５１  球体保持部
５２  支持プレート
５３  高さ調整ナット
５４  固定ナット
５５  支柱用ボルト
５６  ベースプレート
５７  溶接部
６  コンクリート床スラブ
６０  支柱
６１  球体保持部
６２  支持プレート
６３  摩擦材
６４  長ナット
６５  ロックナット
６６  ベースプレート
６７  溶接部
７  球体
７１  球体
２００  下向凹状鋼板
２０１  固定ネジ
【図１】
0006662514.tif 000002
【図２】
0006662514.tif 000003
【図３】
0006662514.tif 000004
【図４】
0006662514.tif 000005